(57)【要約】      （修正有）【課題】構成単位のプリント部分、パネル本体部分そして不可欠なパネルフックなど全てが紙で構成されたポスターパネルを提供する。【解決手段】ポスター部分は紙製のプリント材を使用し、パネル部分は厚紙を表面と裏面に白色面で配し平滑面をつくり、パネル中央２層には白色段ボールの波形をタテ、ヨコに配置し、パネル全体の曲げ強さと反り防止をしている。またパネル部の表面にはプリントやポスターが貼れるシール材が予め貼ってある。一方パネルの使用時に吊るすなどの利用の為、厚紙製の紙フックを制作し左右２枚裏に貼り込み便宜を高めている。【選択図】図２
0003156244.tif 000002
【実用新案登録請求の範囲】
【請求項１】
本考案は、イベントや販売促進、広告業界でのパネルの要件として、パネルの平滑性、反り強さ、厚さ、軽量性、白く見栄えするなどほぼ現状普及のスチレンパネルと同等性能を実現したリサイクルポスターパネルとして特徴ある構造のものである。構造は表面、裏面平滑性の為の２層と厚みを確保する為と曲げ、反り防止の為の波方向が直角な中央２層などの層構造の特徴ある多層貼り合わせパネルである。
【請求項２】
ポスターパネルの構成としてプリント部分、パネル部分、フック部分など全てがリサイクルに供し分別が必要ない初めてのものである。そして構成材は紙製のプリント材と段ボールと厚紙で作られたパネルでつくられ、経済性に優れ、リサイクルを大きく促進するトータル紙製ポスターパネルである。
【考案の詳細な説明】
【技術分野】
【０００１】  本考案はポスターやプリント物を貼って使用されるパネル（一般にポスターパネルと言う）に関し、プリント物とパネルとその付帯のものをリサイクルできる紙素材を組合せ構成し、使用するものとし、また使用後そのままを紙リサイクルに供するものである。
【背景技術】
【０００２】  現在は発泡ポリスチレンでつくられたしたパネル（一般にスチレンパネルと言う）がポスターパネルのパネル部分の主流で実際には表と裏面が紙加工され、その上に各種のプリント物を貼って使用する為、それらを個々に剥がし分別してリサイクルをする事はできないのが実態である。【０００３】  現在一般に使われているスチレンパネルはイベントや展示会、博物館そして学校やスーパー、デパート、などで使用頻度の高い材料となって使われ、リサイクルできず資源面での損失は大きい。【０００４】  リサイクルボードとして調べますと、その他に合成樹脂などの発泡体製のものがあるが、建築建材分野での使用が主で、壁などに使用される物で、重く取扱いが困難でイベントや展示物、教材のポスターパネルとしての応用は困難である。【０００５】
【先行技術文献】
【特許文献】
【特許文献１】特開平９−６０１４４号
【特許文献２】特開平９−７８７９９号
【考案の概要】
【考案が解決しようとする課題】
【０００６】  ポスターパネルの主構成材のスチレンパネル（ポリスチレンと紙）部分とその上に貼ったプリント部分（塩ビやポリプロピレン他）、また附属のフック（鉄）やフレーム（アルミニューム）の廃棄やリサイクルには分別が必要である。【０００７】  スチレンパネルの表と裏には強固に紙が貼り付き、またその上にプリント物を強く貼り付ける為、特殊な道具をもってしてもそれらの完全分離は不可能に近く、分別は困難である。【０００８】  段ボールは曲がり、表面の非平滑性でパネルとしての利用は不可能で、また厚紙は反らないまでの厚さを形成した場合は大変に重くなり、紙コストがかかり、ポスターパネルとして使用はされにくい。
【課題を解決する為の手段】
【０００９】  本考案は、全てリサイクル可能な紙材料で構成する為、そのまま紙リサイクルが可能である。
【００１０】  本考案が、プリント部分、パネル部分、附属部全て紙で構成する為、分別業務を必要とせず、リサイクルを促進するものである。
【００１１】  本考案は各種紙材料の組合せと加工の工夫で制作する事で、現在のスチレンパネルのもつ平滑性、反り強さ、軽量そして経済性などの必要要件を満たす様にしたものである。。
【考案の効果】
【００１２】  本考案は、プリント部からパネル、附属品まで紙材料で構成し他の材質のものを使用しない為、分別の作業を必要としない為、リサイクルを大いに促進できる。
【００１３】  本考案が、古紙中心に構成しリサイクル紙（段ボールや厚紙）を主原料とする為、地球環境に負荷を与えず制作可能で、かつ使用後紙リサイクルに回り、資源を無駄にしない。
【考案を実施する為の形態と機能】
【００１４】  本考案を実施する為の構成品、形態、機能等を図面に示し説明する。
【００１５】  図１の（１）は外形を示すもので、全体は層が貼り合わさって一般的なポスターパネルの形状となり、３辺のサイズは（４）長辺は  １，８００ｍｍ程度以内（５）短辺は１，２００ｍｍ程度以内（６）側面（端面）の厚さは３〜５ｍｍ程度となる。
【００１６】  図２は基本構造で全５層構造から構成され、（２）表面側から（７）プリント層は紙製のプリント紙で、プリント後にパネル層の（９）表面側平滑層に予め貼ってある（８）シール材を使い、貼り付けられる。
【００１７】  （９）は表面が白色の０．３ｍｍ程度の厚紙製で表面全体の白色性と平滑性を出す為にあり、（１２）は裏面の白色性と平滑性の確保の為、同様の厚紙が貼り付いて層を形成する。
【００１８】  （１０）と（１１）は全体が白色の段ボール製で、厚さは各々１〜３ｍｍのものを用途により組合せられ、この２層は図２の様に（１０）表面側の反り防止強化層は短辺方向に水平な波形とし、（１１）裏面側の反り防止強化層は長辺方向の波形とし、パネルの曲がりや反りを防ぐためにこの２層は波形方向が直角に貼り合わせられ、パネル全体の反りを防ぎ、かつ断面も白く見栄えがよく、また段ボールなので軽量化をはかる。
【００１９】  図３は壁や天井などからパネルを吊下げる為に使用する紙製のフック（１２）（１３）をあらわす。
【００２０】  図３、パネル（３）裏面の左側上部には（１２）左フックを貼り、右側上部には右フックを貼り、共に（１４）のミシン目入りで、その目は貼り位置合わせの目安とミシン目部の曲がりで裏面から浮かしフック部の引っかけをよくし、フックの裏面には両面テープが予め貼られていて、パネルに貼り込める。
【図面の簡単な説明】
【００２１】
【図１】パネルの外形を描いたものであり、その大きさや厚さを示した。
【図２】全体の基本構造で、プリント層とパネル層合計６層構造でパネル層５層は予め製作し、まず（７）層単独のものにプリントした後に、パネル層の表面に仕込まれた（８）シール材を使い貼り込む。また、パネルの曲がりや、反りを防ぐ為の最も重要な反り防止強化層（１０）（１１）の段ボール材のタテヨコ直角方向に貼られた波形構造を示す。
【図３】このパネルを利用する際に、掛けたり吊るしたりする為の紙製のフックを示す。
【符号の説明】
【００２２】（１）…パネルの形状
（７）…プリント層（プリント紙）
（８）…シール材
（９）・（１２）…パネルの表・裏面平滑層
（１０）・（１１）…パネルの反り防止強化層
（１２）・（１３）…左・右パネル吊下げ紙フック
（１４）…ミシン目【００２３】以上の様に基本的な形態と機能を説明してきたが、用途により、パネル層の枚数を４枚（（８）シール材（９）パネル表面層と（１０）（１１）反り防止層）になる場合や（１２）（１３）紙フックが要らない場合もあり、本考案はこれら全てに限定するものではない。
【図１】
0003156244.tif 000003
【図２】
0003156244.tif 000004
【図３】
0003156244.tif 000005
【手続補正書】
【提出日】平成21年9月18日(2009.9.18)
【手続補正１】
【補正対象書類名】実用新案登録請求の範囲
【補正対象項目名】全文
【補正方法】変更
【補正の内容】
【実用新案登録請求の範囲】
【請求項１】
プリント紙（７）、パネル層、及び吊下げフックを紙でつくったポスターパネル。
【請求項２】
プリント紙（７）、シール材（８）、表面側平滑層（９）、反り防止強化層（１０）（１１）、裏面側平滑層（１２）から構成される多層構造の請求項１に記載のポスターパネル。
【請求項３】
プリント紙（７）、表面側平滑層（９）、反り防止強化層（１０）（１１）、裏面側平滑層（１２）のすべてが白い紙や白いダンボールで出来た、請求項１または２に記載のポスターパネル。
【請求項４】
反り防止強化層（１０）（１１）にダンボールを使い軽量化した、請求項１、２または３に記載のポスターパネル。
【請求項５】
パネルの主要な厚さを占める、反り防止強化層（１０）（１１）のダンボール２層は、その波形方向が直角に接着結合され、全体を強化し、反りや曲がりを防ぐ構造を特徴とする、請求項１、２、３または４に記載のポスターパネル。